【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
センター飾りの外側からセンター飾り内のステージへと遊技球を誘導するワープ通路を備えた遊技機であって、以下の構成を備えていることを特徴とする遊技機。
（１）前記ワープ通路は、前記センター飾りの外側に向かって開口するワープ入口と、前記ステージの中央に向かって開口するワープ出口との間を、少なくとも１以上の奥行き方向に伸びる奥行き方向誘導路と、少なくとも１以上の上下方向に伸びる落下方向誘導路とを連続させて構成された屈曲筒状の構造体として構成されていること。
（２）前記落下方向誘導路の内壁には、遊技球の進行方向にほぼ直交する方向に伸びる突条が内側に向かって突出形成されていること。
（３）前記奥行き方向誘導路の上壁内面には、遊技球の進行方向に沿って伸びるリブが下方に向かって突出形成されていること。
【請求項２】
さらに、以下の構成をも備えていることを特徴とする請求項１記載の遊技機。
（４）前記ワープ出口は、前記屈曲筒状の構造体の最終部分の落下方向誘導路の下端部内側に前記ステージの中央に向かって開口する様に形成されていること。
（５）前記ワープ出口が開口された落下方向誘導路の終端部は、前記ステージの中央に向かって湾曲され、当該ワープ出口よりも先まで前記ステージに向かって伸びる様に形成された湾曲した延長底壁を備え、該延長底壁の終端まで当該落下方向誘導路の前面側の壁が伸ばされていること。
【請求項３】
さらに、以下の構成をも備えていることを特徴とする請求項１又は２記載の遊技機。
（６）前記落下方向誘導路の内壁の突条は、対面する方向で互いに高さ方向にずれた位置となる様に対面させて突出形成されていること。
【請求項４】
さらに、以下の構成をも備えていることを特徴とする請求項３記載の遊技機。
（７）前記落下方向誘導路の内壁の突条は、左右に対面する方向と、前後に対面する方向のそれぞれに対して、前記高さ方向にずらした突条が、対面位置に関わりなく互いに高さ方向にずれた位置関係となる様に突出形成されていること。
【請求項５】
さらに、以下の構成をも備えていることを特徴とする請求項４記載の遊技機。
（８）前記ワープ通路は、前記ワープ入口から進入した遊技球をセンター飾りの内側へ向かって誘導する入口部誘導路と、該入口部誘導路に連通して遊技球の進路を奥行き方向に変化させて誘導する奥行き方向誘導路と、該奥行き方向誘導路と連通して遊技球の進行方向を下方に変化させて誘導する落下方向誘導路と、該落下方向誘導路の下端部内側に前記ステージの中央に向かって開口する前記ワープ出口とを備えた屈曲筒状に構成され、該ワープ出口が開口された前記落下方向誘導路の終端部は、前記ステージの中央に向かって湾曲され、当該ワープ出口よりも先まで前記ステージに向かって伸びる湾曲した延長底壁を備え、該延長底壁の終端まで当該落下方向誘導路の前面側の壁が伸ばされていること。
（９）前記ワープ通路は、前記入口部誘導路、奥行き方向誘導路、及び落下方向誘導路の前面及び側面を構成する屈曲溝状に一体成形された通路本体部と、前記入口部誘導路の後壁、奥行き方向誘導路の上壁及び落下方向誘導路の後壁に相当する部分とを別体に構成したこと。
（１０）少なくとも、前記奥行き方向誘導路の上壁及び落下方向誘導路の後壁に相当する部分は、前記通路本体部において前記奥行き方向誘導路及び前記落下方向誘導路に該当する溝の部分の開口を覆う様に一体形成された蓋部材として構成されていること。
（１１）前記通路本体部の奥行き方向誘導路に該当する部分の溝の側壁部分の内面に前記左右に対面する方向の突条が射出成形の型抜き方向に伸びる断面三角形状又は半円状の突条として一体成形によって形成されると共に、該溝の底部分の上面に前記前後に対面する方向の突条の前側のものが断面三角形状又は半円状の突条として一体成形によって形成され、前記蓋部材の奥行き方向誘導路の後壁に該当する部分の前面に前記前後に対面する方向の突条の後側のものが断面三角形状又は半円状の突状として一体成形により形成されていること。
【請求項６】
さらに、以下の構成をも備えていることを特徴とする請求項５記載の遊技機。
（１２）前記ワープ出口は、前記屈曲溝状に形成された通路本体部の終端部のステージ側の側壁を切り取った状態に形成され、前記蓋部材は当該側壁が切り取られた部分の後壁に相当する部分まで備わっており、前記前後に対面する方向の突条は、前記側壁が切り取られた部分よりも終端側にも形成されていること。
【請求項７】
さらに、以下の構成をも備えていることを特徴とする請求項５又は６記載の遊技機。
（１３）前記蓋部材において前記奥行き方向誘導路の上壁に相当する部分には、前記屈曲溝状に形成された通路本体の中心に沿う様に前記リブが一体成形によって突出形成されていること。
【請求項８】
さらに、以下の構成をも備えていることを特徴とする請求項１〜７のいずれか記載の遊技機。
（１４）前記奥行き方向誘導路は、後方に向かって底面が低くなる様な下り傾斜に構成され、前記リブは、下端が前記下り傾斜の底面とほぼ平行になる様に突出形成されていること。
【請求項９】
さらに、以下の構成をも備えていることを特徴とする請求項１〜８のいずれか記載の遊技機。
（１５）前記落下方向誘導路は、断面四角形の角筒状に構成され、前後左右の各面の内壁から前記突条が突出形成され、前後面及び左右面の間隔が、遊技球の直径＋対面する突条の各高さよりも大きくなる様に構成されていること。
【手続補正２】
【補正対象書類名】明細書
【補正対象項目名】００３１
【補正方法】変更
【補正の内容】
【００３１】
また、これら本発明の遊技機は、さらに、以下の構成をも備えるとよい。
（６）前記落下方向誘導路の内壁の突条は、対面する方向で互いに高さ方向にずれた位置となる様に対面させて突出形成されていること。
【手続補正３】
【補正対象書類名】明細書
【補正対象項目名】００３５
【補正方法】変更
【補正の内容】
【００３５】
（７）の構成をも備えた本発明の遊技機は、さらに、以下の構成をも備えるとよい。
（８）前記ワープ通路は、前記ワープ入口から進入した遊技球をセンター飾りの内側へ向かって誘導する入口部誘導路と、該入口部誘導路に連通して遊技球の進路を奥行き方向に変化させて誘導する奥行き方向誘導路と、該奥行き方向誘導路と連通して遊技球の進行方向を下方に変化させて誘導する落下方向誘導路と、該落下方向誘導路の下端部内側に前記ステージの中央に向かって開口する前記ワープ出口とを備えた屈曲筒状に構成され、該ワープ出口が開口された前記落下方向誘導路の終端部は、前記ステージの中央に向かって湾曲され、当該ワープ出口よりも先まで前記ステージに向かって伸びる湾曲した延長底壁を備え、該延長底壁の終端まで当該落下方向誘導路の前面側の壁が伸ばされていること。
（９）前記ワープ通路は、前記入口部誘導路、奥行き方向誘導路、及び落下方向誘導路の前面及び側面を構成する屈曲溝状に一体成形された通路本体部と、前記入口部誘導路の後壁、奥行き方向誘導路の上壁及び落下方向誘導路の後壁に相当する部分とを別体に構成したこと。
（１０）少なくとも、前記奥行き方向誘導路の上壁及び落下方向誘導路の後壁に相当する部分は、前記通路本体部において前記奥行き方向誘導路及び前記落下方向誘導路に該当する溝の部分の開口を覆う様に一体形成された蓋部材として構成されていること。
（１１）前記通路本体部の奥行き方向誘導路に該当する部分の溝の側壁部分の内面に前記左右に対面する方向の突条が射出成形の型抜き方向に伸びる断面三角形状又は半円状の突条として一体成形によって形成されると共に、該溝の底部分の上面に前記前後に対面する方向の突条の前側のものが断面三角形状又は半円状の突条として一体成形によって形成され、前記蓋部材の奥行き方向誘導路の後壁に該当する部分の前面に前記前後に対面する方向の突条の後側のものが断面三角形状又は半円状の突状として一体成形により形成されていること。
【手続補正４】
【補正対象書類名】明細書
【補正対象項目名】００３７
【補正方法】変更
【補正の内容】
【００３７】
（８）〜（１１）の構成をも備えた遊技機は、さらに、以下の構成をも備えるとよい。
（１２）前記ワープ出口は、前記屈曲溝状に形成された通路本体部の終端部のステージ側の側壁を切り取った状態に形成され、前記蓋部材は当該側壁が切り取られた部分の後壁に相当する部分まで備わっており、前記前後に対面する方向の突条は、前記側壁が切り取られた部分よりも終端側にも形成されていること。
【手続補正５】
【補正対象書類名】明細書
【補正対象項目名】００３９
【補正方法】変更
【補正の内容】
【００３９】
（１２）の構成をも備えた遊技機は、さらに、以下の構成をも備えるとよい。
（１３）前記蓋部材において前記奥行き方向誘導路の上壁に相当する部分には、前記屈曲溝状に形成された通路本体の中心に沿う様に前記リブが一体成形によって突出形成されていること。